(57)【特許請求の範囲】
【請求項１】
センタ装置から受信した映像データに基づいて映像の表示を行う表示装置であって、
前記センタ装置からデータを受信する受信手段と、
前記センタ装置が前記映像データを切り換える映像切換動作を行う場合に送信する、該映像切換動作に関する情報を示す切換関連データを、前記受信手段を介して取得した場合に、前記映像切換動作により前記映像の表示が乱れることを隠蔽する映像乱れ隠蔽手段とを備えることを特徴とする表示装置。
【請求項２】
前記切換関連データは、前記センタ装置が前記映像切換動作を完了したときに送信するデータであることを特徴とする請求項１に記載の表示装置。
【請求項３】
前記映像乱れ隠蔽手段が隠蔽する期間は、前記映像データを受信してから映像の表示を行うまでの遅延期間に基づいて設定されることを特徴とする請求項１に記載の表示装置。
【請求項４】
前記映像データは、エンコードされたデータであり、
エンコードされた前記映像データをデコードするデコード手段をさらに備えており、
前記映像乱れ隠蔽手段が隠蔽する期間は、前記デコード手段が前記映像データをデコードするのに要する期間に基づいて設定されることを特徴とする請求項１に記載の表示装置。
【請求項５】
前記映像乱れ隠蔽手段が隠蔽を開始する時点は、前記切換関連データを取得した時点から、前記映像データを受信してから映像の表示を行うまでの遅延期間が経過した時点であることを特徴とする請求項１に記載の表示装置。
【請求項６】
前記映像データは、エンコードされたデータであり、
エンコードされた前記映像データをデコードするデコード手段をさらに備えており、
前記映像乱れ隠蔽手段が隠蔽を開始する時点は、前記切換関連データを取得した時点から、前記デコード手段が前記映像データをデコードするのに要する期間を前記遅延期間から除いた期間が経過した時点であることを特徴とする請求項５に記載の表示装置。
【請求項７】
センタ装置から受信した映像データに基づいて映像の表示を行う表示装置であって、
前記映像データは、前記センタ装置がエンコードしたデータであり、
前記センタ装置からデータを受信する受信手段と、
エンコードされた前記映像データをデコードするデコード手段と、
前記センタ装置が前記映像データを切り換える映像切換動作を行うことにより、前記映像の表示が乱れることを隠蔽する映像乱れ隠蔽手段とを備えており、
該映像乱れ隠蔽手段が隠蔽を終了する時点は、前記センタ装置が切り換えた前記映像データをエンコードするときに生成する第１のタイムスタンプであって、前記センタ装置が行うエンコードと、前記デコード手段が行うデコードとの同期を取るための時間情報である第１のタイムスタンプを、前記受信手段を介して取得した時点に基づいて設定されることを特徴とする表示装置。
【請求項８】
前記映像乱れ隠蔽手段が隠蔽を終了する時点は、第１のタイムスタンプを取得した時点と、前記デコード手段が映像データのデコードを開始する時刻を示す第２のタイムスタンプとに基づいて設定されることを特徴とする請求項７に記載の表示装置。
【請求項９】
前記映像乱れ隠蔽手段は、前記映像の表示を停止させることにより、前記映像の表示が乱れることを隠蔽することを特徴とする請求項１または７に記載の表示装置。
【請求項１０】
前記受信手段は、前記センタ装置からデータを無線で受信することを特徴とする請求項１または７に記載の表示装置。
【請求項１１】
前記センタ装置にデータを送信する送信手段と、
前記映像データの切換えを要求する切換要求データを前記センタ装置に送信するように前記送信手段を制御する切換コマンド送信制御手段とをさらに備えることを特徴とする請求項１または７に記載の表示装置。
【請求項１２】
表示装置が映像を表示するために、該表示装置に映像データを送信するセンタ装置であって、
前記表示装置にデータを送信する送信手段と、
送信すべき映像データを切り換える映像切換手段と、
前記映像切換手段が映像データを切り換える映像切換動作を行う場合、該映像切換動作に関連する情報を示す切換関連データを取得し、取得した切換関連データを、前記映像データとは別に、前記表示装置に送信するように前記送信手段を制御する切換関連データ送信制御手段とを備えることを特徴とするセンタ装置。
【請求項１３】
前記切換関連データは、前記映像切換手段が前記映像切換動作を完了したときに送信するデータであることを特徴とする請求項１２に記載のセンタ装置。
【請求項１４】
映像データに対しエンコードを行うエンコード手段をさらに備えており、
前記送信手段は、前記エンコード手段がエンコードを行った映像データを前記表示装置に送信することを特徴とする請求項１２に記載のセンタ装置。
【請求項１５】
表示装置が映像を表示するために、該表示装置に映像データを送信するセンタ装置であって、
前記表示装置にデータを送信する送信手段と、
送信すべき映像データを切り換える映像切換手段と、
前記映像データをエンコードするエンコード手段と、
該エンコード手段が行うエンコードと、前記表示装置が行うデコードとの同期を取るための時間情報である第１のタイムスタンプであって、前記映像切換手段が切り換えた映像データを前記エンコード手段がエンコードするときに生成する第１のタイムスタンプを取得し、取得した第１のタイムスタンプを前記表示装置に送信するように前記送信手段を制御するタイムスタンプ送信制御手段とを備えることを特徴とするセンタ装置。
【請求項１６】
前記送信手段は、前記表示装置にデータを無線で送信することを特徴とする請求項１２または１５に記載のセンタ装置。
【請求項１７】
前記表示装置からデータを受信する受信手段と、
映像データの切換えを要求する切換要求データを、前記受信手段を介して取得する切換要求取得手段と、
該切換要求取得手段が取得した切換要求データに基づいて、前記映像切換手段が映像データを切り換えるように制御する映像切換制御手段とをさらに備えることを特徴とする請求項１２または１５に記載のセンタ装置。
【請求項１８】
前記映像切換手段は、放送中の映像データを選局するチューナであることを特徴とする請求項１２または１５に記載のセンタ装置。
【請求項１９】
前記映像切換手段は、外部から入力された複数の映像データの中から選択するセレクタであることを特徴とする請求項１２または１５に記載のセンタ装置。
【請求項２０】
請求項１２ないし１９の何れか１項に記載のセンタ装置が、請求項１ないし１１の何れか１項に記載の表示装置に映像データを送信し、前記表示装置が前記映像データに基づいて映像を表示することを特徴とする映像表示システム。
【請求項２１】
前記センタ装置に前記表示装置が取り付け可能であることを特徴とする請求項２０に記載の映像表示システム。
【請求項２２】
前記センタ装置が前記表示装置にデータを無線で送信することを特徴とする請求項２０に記載の映像表示システム。
【請求項２３】
センタ装置から受信した映像データに基づいて映像の表示を行う表示装置の制御方法であって、
前記表示装置は、前記センタ装置からデータを受信する受信手段を備えており、
前記センタ装置が前記映像データを切り換える映像切換動作を行う場合に送信する、該映像切換動作に関する情報を示す切換関連データを、前記受信手段を介して取得した場合に、前記映像切換動作により前記映像の表示が乱れることを隠蔽するように制御することを特徴とする表示装置の制御方法。
【請求項２４】
センタ装置から受信した映像データに基づいて映像の表示を行う表示装置の制御方法であって、
前記映像データは、前記センタ装置がエンコードしたデータであり、
前記表示装置は、前記センタ装置からデータを受信する受信手段と、エンコードされた前記映像データをデコードするデコード手段とを備えており、
前記センタ装置が前記映像データを切り換える映像切換動作を行うことにより、前記映像の表示が乱れることを隠蔽するように制御し、
前記隠蔽を終了する時点は、前記センタ装置が切り換えた前記映像データをエンコードするときに生成する第１のタイムスタンプであって、前記センタ装置が行うエンコードと、前記デコード手段が行うデコードとの同期を取るための時間情報である第１のタイムスタンプを、前記受信手段を介して取得した時点に基づいて設定されることを特徴とする表示装置の制御方法。
【請求項２５】
表示装置が映像を表示するために、該表示装置に映像データを送信するセンタ装置の制御方法であって、
前記センタ装置は、前記表示装置にデータを送信する送信手段と、送信すべき映像データを切り換える映像切換手段とを備えており、
前記映像切換手段が映像データを切り換える映像切換動作を行う場合、前記映像切換動作に関連する情報を示す切換関連データを取得し、取得した切換関連データを、前記映像データとは別に、前記表示装置に送信するように前記送信手段を制御することを特徴とするセンタ装置の制御方法。
【請求項２６】
表示装置が映像を表示するために、該表示装置に映像データを送信するセンタ装置の制御方法であって、
前記センタ装置は、前記表示装置にデータを送信する送信手段と、送信すべき映像データを切り換える映像切換手段と、前記映像データをエンコードするエンコード手段とを備えており、
前記センタ装置が行うエンコードと、前記デコード手段が行うデコードとの同期を取るための時間情報である第１のタイムスタンプであって、前記映像切換手段が切り換えた映像データを前記エンコード手段がエンコードするときに生成する第１のタイムスタンプを取得し、取得した第１のタイムスタンプを前記表示装置に送信するように前記送信手段を制御することを特徴とするセンタ装置の制御方法。
【請求項２７】
請求項１ないし１１の何れか１項に記載の表示装置を動作させるための表示装置制御プログラムであって、コンピュータを上記各手段として機能させるための表示装置制御プログラム。
【請求項２８】
請求項１２ないし１９の何れか１項に記載のセンタ装置を動作させるためのセンタ装置制御プログラムであって、コンピュータを上記各手段として機能させるためのセンタ装置制御プログラム。
【請求項２９】
請求項２７に記載の表示装置制御プログラム、および／または、請求項２８に記載のセンタ装置制御プログラムが記録されたコンピュータ読取り可能な記録媒体。
【発明の詳細な説明】
【技術分野】
【０００１】
本発明は、センタ装置が表示装置に映像データを送信し、前記表示装置が前記映像データに基づいて映像を表示する表示装置、センタ装置、映像表示システム、表示装置の制御方法、センタ装置の制御方法、表示装置制御プログラム、センタ装置制御プログラム、および該プログラムを記録した記録媒体に関するものである。
【背景技術】
【０００２】
近年、映像及び音声の受信・再生システム（ＡＶ（Audio Visual）システム）において、映像を再生（表示）するためのモニタ部（ＡＶ出力装置）として薄型の液晶表示装置を用いたものが多く開発されている。液晶表示装置を用いると、大画面の表示も可能であるにもかかわらず、表示装置自体を軽量かつ薄型にすることができるという大きな利点がある。
【０００３】
この利点を利用して、例えば、テレビ受像機のチューナ部とモニタ部とを分離し、チューナ部からモニタ部に映像信号と音声信号とを伝送するシステムが開示されている。このシステムにおいては、分離したチューナ部にアンテナ線を接続して選局し、その選局した映像及び音声の信号（ＡＶ信号）をモニタ部にワイヤレス伝送してＡＶ信号を再生することができる（例えば特許文献１、２参照）。
【特許文献１】特開２００１−１６０９２７号公報（公開日：２００１年６月１２日）
【特許文献２】特開２００１−３５８９６６号公報（公開日：２００１年１２月２６日）
【発明の開示】
【発明が解決しようとする課題】
【０００４】
上記のシステムにおいては、モニタ側でチャネル選局操作や入力切換操作を行った場合、これらの操作に基づくコマンドをモニタ側で生成してチューナ側に送信する。このコマンドは、チューナ側において処理を行わせるためのコマンドであって、モニタ側とチューナ側とを関連付ける無線伝送システムにおいて送受信可能なコマンドである。このとき、モニタ側は、無線伝送システムに規定されているインターバルで上記コマンドを送信することになる。
【０００５】
一方、チューナ側においては、上記コマンドに基づきチャネル選局や入力の切換などの操作を行う。その後、チューナ側においてチャネル選局または入力切換されたビデオ信号をストリーム情報に変換して、モニタ側に無線により伝送する。このストリーム情報への変換処理としては、例えば、ＭＰＥＧ２変換処理が挙げられる。このＭＰＥＧ２変換処理にはある程度の時間を要するため、チューナ側においてチャネル選局又は入力切換に関連する処理を行っている期間中は、モニタ側において画面上の映像の乱れが数秒間生じることになり見苦しい。このため、例えば画面を数秒以上の期間、映像の表示を停止する処理が行われている。なお、以下では、映像の表示を停止することを「ミュートする」と称する。
【０００６】
このように、ＭＰＥＧ２変換処理が行われる場合には、例えばエンコード処理に関連する遅延時間など、切換に関連する遅延時間が比較的長いため、モニタ側において映像の乱れが生じる期間も比較的長くなってしまう。
【０００７】
また、モニタ側では、チャネル選局や入力切換をチューナ側にコマンドで要求した後、受信する映像信号が切り替わる時点を認識することができない。このため、要求を行った時点に基づいてミュート期間を管理することになる。また、ミュート処理により映像の乱れを隠蔽するためには、映像の乱れが無くなる時点を予測し、予測した時点より遅い時点をミュート処理の終了時点とすることになる。このように、ミュート期間を、実際に映像の乱れが生じる期間よりも長く設定する必要があるという問題点があった。
【０００８】
本発明は、上記の問題点に鑑みてなされたものであって、その目的は、従来よりも、実際に映像の乱れが生じる期間にミュート期間を近づけることのできる映像表示システムなどを提供することにある。
【０００９】
また、本発明の目的は、映像ミュートタイミングを表示装置側で把握し、適切な時間設定を行うことができる技術を提供することにある。
【課題を解決するための手段】
【００１０】
本発明に係る表示装置は、上記課題を解決するため、センタ装置から受信した映像データに基づいて映像の表示を行う表示装置であって、前記センタ装置からデータを受信する受信手段と、前記センタ装置が前記映像データを切り換える映像切換動作を行う場合に送信する、該映像切換動作に関する情報を示す切換関連データを、前記受信手段を介して取得した場合に、前記映像切換動作により前記映像の表示が乱れることを隠蔽する映像乱れ隠蔽手段とを備えることを特徴としている。
【００１１】
ここで、映像切換動作に関する情報としては、切換動作を開始した旨を示す情報、切換動作中である旨を示す情報、切換動作を終了した旨を示す情報などが挙げられる。また、映像の表示が乱れることを隠蔽する方法としては、映像の表示を停止する（映像ミュート）、隠蔽する直前の映像を静止画像として表示する、青一色の画像や「しばらくお待ち下さい」と描画された画像などの所定の画像を表示することが挙げられる。このうち、映像の表示を停止する映像ミュート処理を行うことが望ましい。
【００１２】
上記の構成によると、映像切換動作により映像の表示が乱れることを隠蔽することを、センタ装置に映像切換を指示した場合ではなく、センタ装置から切換関連データを取得した場合に行っている。これにより、上記隠蔽を開始する時点を、映像の表示の乱れが始まる時点に従来よりも近づけることができるので、上記隠蔽の期間を短くすることができる。
【００１３】
なお、前記切換関連データは、前記センタ装置が前記映像切換動作を完了したときに送信するデータであることが望ましい。この場合、映像切換動作を完了した時点は、例えば、映像入力を外部入力１から外部入力２に切り換える場合、外部入力２に切り換えてエンコードを開始する時点となる。したがって、上記隠蔽を開始する時点を、映像の表示の乱れが始まる時点にさらに近づけることができる。
【００１４】
ところで、表示装置が映像データを受信してから映像の表示を行うまでに遅延期間が存在する。このため、前記映像乱れ隠蔽手段が隠蔽する期間は、前記遅延期間に基づいて設定されることが望ましい。
【００１５】
また、センタ装置が映像データをエンコードして送信し、表示装置がエンコードされた映像データを受信してデコードすることが一般的である。このエンコード処理に画像圧縮処理が含まれる場合には、エンコードおよびデコードに要する期間は、他の動作に要する期間に比べて比較的長い。
【００１６】
このため、前記映像データがエンコードされたデータである場合、表示装置は、エンコードされた前記映像データをデコードするデコード手段をさらに備えており、前記映像乱れ隠蔽手段が隠蔽する期間は、前記デコード手段が前記映像データをデコードするのに要する期間に基づいて設定されることが望ましい。
【００１７】
また、前記切換関連データを取得した時点から前記遅延期間が経過した時点では、映像の表示の乱れが未だ発生していない。したがって、前記映像乱れ隠蔽手段が隠蔽を開始する時点は、前記切換関連データを取得した時点から、前記遅延期間が経過した時点であることが望ましい。この場合、上記隠蔽を開始する時点を、映像の表示の乱れが始まる時点にさらに近づけることができる。
【００１８】
なお、エンコードされた映像データのデコードを行う場合には、デコード中に映像の表示の乱れが発生することがある。そこで、前記映像乱れ隠蔽手段が隠蔽を開始する時点は、前記切換関連データを取得した時点から、前記デコード手段が前記映像データをデコードするのに要する期間を前記遅延期間から除いた期間が経過した時点であることが望ましい。
【００１９】
本発明に係る表示装置は、上記課題を解決するために、センタ装置から受信した映像データに基づいて映像の表示を行う表示装置であって、前記映像データは、前記センタ装置がエンコードしたデータであり、前記センタ装置からデータを受信する受信手段と、エンコードされた前記映像データをデコードするデコード手段と、前記センタ装置が前記映像データを切り換える映像切換動作を行うことにより、前記映像の表示が乱れることを隠蔽する映像乱れ隠蔽手段とを備えており、該映像乱れ隠蔽手段が隠蔽を終了する時点は、前記センタ装置が切り換えた前記映像データをエンコードするときに生成する第１のタイムスタンプであって、前記センタ装置が行うエンコードと、前記デコード手段が行うデコードとの同期を取るための時間情報である第１のタイムスタンプを、前記受信手段を介して取得した時点に基づいて設定されることを特徴としている。
【００２０】
上記の構成によると、映像乱れ隠蔽手段が隠蔽を終了する時点は、前記センタ装置が切り換えた前記映像データをエンコードするときに生成する第１のタイムスタンプを取得した時点に基づいて設定される。第１のタイムスタンプを取得することにより、映像切換動作により切り換えられた映像データがエンコードされていることが理解できる。
【００２１】
映像の切換えが行われ、かつエンコードされた映像データは、表示装置にてデコードされ、デコードされた映像データに基づいて映像が表示される。このとき、映像の切換による表示の乱れはなくなる。したがって、エンコードされている時点に基づいて、映像の表示の乱れがなくなる時点を推定することができ、この推定した時点を、隠蔽を終了する時点とすることにより、隠蔽を終了する時点を映像の表示の乱れが終了する時点に従来よりも近づけることができるので、上記隠蔽の期間を短くすることができる。
【００２２】
なお、デコード手段は、映像データのデコードを開始する時刻が設定される。したがって、前記映像乱れ隠蔽手段が隠蔽を終了する時点は、第１のタイムスタンプを取得した時点と、前記デコード手段が映像データのデコードを開始する時刻を示す第２のタイムスタンプとに基づいて設定されることが望ましい。この場合、映像データのデコードの開始時刻から映像の表示の乱れがなくなる時点をより的確に推定できるので、上記隠蔽の期間をさらに短くすることができる。
【００２３】
ところで、映像データの切換えは、表示装置側に位置するユーザがリモートコントロール装置などを用いて指示することが多い。このため、表示装置は、前記センタ装置にデータを送信する送信手段と、前記映像データの切換えを要求する切換要求データを前記センタ装置に送信するように前記送信手段を制御する切換コマンド送信制御手段とをさらに備えることが望ましい。
【００２４】
本発明に係るセンタ装置は、上記課題を解決するため、表示装置が映像を表示するために、該表示装置に映像データを送信するセンタ装置であって、前記表示装置にデータを送信する送信手段と、送信すべき映像データを切り換える映像切換手段と、前記映像切換手段が映像データを切り換る映像切換動作を行う場合、該映像切換動作に関連する情報を示す切換関連データを取得し、取得した切換関連データを、前記映像データとは別に、前記表示装置に送信するように前記送信手段を制御する切換関連データ送信制御手段とを備えることを特徴としている。
【００２５】
ここで、映像切換手段としては、放送中の映像データを選局するチューナ、外部から入力された複数の映像データの中から選択するセレクタ、およびこれらを組み合わせたものが考えられる。
【００２６】
上記の構成によると、映像データを切り換る映像切換動作を行う場合、該映像切換動作に関連する情報を表示装置に送っている。これにより、表示装置が上記隠蔽を開始する時点を、映像の表示の乱れが始まる時点に従来よりも近づけることができるので、上記隠蔽の期間を短くすることができる。
【００２７】
なお、上述のように、前記切換関連データは、前記映像切換手段が前記映像切換動作を完了したときに送信するデータであることが望ましい。この場合、上記隠蔽を開始する時点を、映像の表示の乱れが始まる時点にさらに近づけることができる。
【００２８】
また、映像データのデータ量を少なくしたり、確実に映像データを送信したりするために、センタ装置は、映像データに対しエンコードを行うエンコード手段をさらに備えており、前記送信手段は、前記エンコード手段がエンコードを行った映像データを前記表示装置に送信することが望ましい。
【００２９】
本発明に係るセンタ装置は、上記課題を解決するため、表示装置が映像を表示するために、該表示装置に映像データを送信するセンタ装置であって、前記表示装置にデータを送信する送信手段と、送信すべき映像データを切り換える映像切換手段と、前記映像データをエンコードするエンコード手段と、該エンコード手段が行うエンコードと、前記表示装置が行うデコードとの同期を取るための時間情報である第１のタイムスタンプであって、前記映像切換手段が切り換えた映像データを前記エンコード手段がエンコードするときに生成する第１のタイムスタンプを取得し、取得した第１のタイムスタンプを前記表示装置に送信するように前記送信手段を制御するタイムスタンプ送信制御手段とを備えることを特徴としている。
【００３０】
上記の構成によると、タイムスタンプ送信制御手段は、送信手段を制御して、映像切換手段が切り換えた映像データをエンコードするときに生成する第１のタイムスタンプを表示装置に送信する。これにより、表示装置は、エンコードされている時点を把握でき、この時点に基づいて、映像の表示の乱れがなくなる時点を推定することができる。したがって、この推定した時点を、隠蔽を終了する時点とすることにより、隠蔽を終了する時点を映像の表示の乱れが終了する時点に従来よりも近づけることができるので、上記隠蔽の期間を短くすることができる。
【００３１】
ところで、映像データの切換えは、表示装置側に位置するユーザがリモートコントロール装置などを用いて指示することが多い。このため、センタ装置は、前記表示装置からデータを受信する受信手段と、映像データの切換えを要求する切換要求データを、前記受信手段を介して取得する切換要求取得手段と、該切換要求取得手段が取得した切換要求データに基づいて、前記映像切換手段が映像データを切り換えるように制御する映像切換制御手段とをさらに備えることが望ましい。
【００３２】
また、上記構成のセンタ装置が、上記構成の表示装置に映像データを送信し、前記表示装置が前記映像データに基づいて映像を表示する映像表示システムでも、上述の作用効果を得ることができる。なお、前記センタ装置に前記表示装置が取り付け可能であってもよい。また、映像データの送信は、無線で行われてもよい。
【００３３】
本発明に係る表示装置の制御方法は、上記課題を解決するため、センタ装置から受信した映像データに基づいて映像の表示を行う表示装置の制御方法であって、前記表示装置は、前記センタ装置からデータを受信する受信手段を備えており、前記センタ装置が前記映像データを切り換える映像切換動作を行う場合に送信する、該映像切換動作に関する情報を示す切換関連データを、前記受信手段を介して取得した場合に、前記映像切換動作により前記映像の表示が乱れることを隠蔽するように制御することを特徴としている。
【００３４】
上記の方法によると、映像切換動作により映像の表示が乱れることを隠蔽することを、センタ装置に映像切換を指示した場合ではなく、センタ装置から切換関連データを取得した場合に行っている。これにより、上記隠蔽を開始する時点を、映像の表示の乱れが始まる時点に従来よりも近づけることができるので、上記隠蔽の期間を短くすることができる。
【００３５】
本発明に係る表示装置の制御方法は、上記課題を解決するため、センタ装置から受信した映像データに基づいて映像の表示を行う表示装置の制御方法であって、前記映像データは、前記センタ装置がエンコードしたデータであり、前記表示装置は、前記センタ装置からデータを受信する受信手段と、エンコードされた前記映像データをデコードするデコード手段とを備えており、前記センタ装置が前記映像データを切り換える映像切換動作を行うことにより、前記映像の表示が乱れることを隠蔽するように制御し、前記隠蔽を終了する時点は、前記センタ装置が切り換えた前記映像データをエンコードするときに生成する第１のタイムスタンプであって、前記センタ装置が行うエンコードと、前記デコード手段が行うデコードとの同期を取るための時間情報である第１のタイムスタンプを、前記受信手段を介して取得した時点に基づいて設定されることを特徴としている。
【００３６】
上記の方法によると、隠蔽を終了する時点は、前記センタ装置が切り換えた前記映像データをエンコードするときに生成する第１のタイムスタンプを取得した時点に基づいて設定される。第１のタイムスタンプを取得することにより、映像切換動作により切り換えられた映像データがエンコードされていることが理解できる。これにより、エンコードされている時点に基づいて、映像の表示の乱れがなくなる時点を推定することができ、この推定した時点を、隠蔽を終了する時点とすることにより、隠蔽を終了する時点を映像の表示の乱れが終了する時点に従来よりも近づけることができるので、上記隠蔽の期間を短くすることができる。
【００３７】
本発明に係るセンタ装置の制御方法は、上記課題を解決するため、表示装置が映像を表示するために、該表示装置に映像データを送信するセンタ装置の制御方法であって、前記センタ装置は、前記表示装置にデータを送信する送信手段と、送信すべき映像データを切り換える映像切換手段とを備えており、前記映像切換手段が映像データを切り換る映像切換動作を行う場合、前記映像切換動作に関連する情報を示す切換関連データを取得し、取得した切換関連データを、前記映像データとは別に、前記表示装置に送信するように前記送信手段を制御することを特徴としている。
【００３８】
上記の方法によると、映像データを切り換る動作に関連する情報を表示装置に送っている。これにより、表示装置が上記隠蔽を開始する時点を、映像の表示の乱れが始まる時点に従来よりも近づけることができるので、上記隠蔽の期間を短くすることができる。
【００３９】
本発明に係るセンタ装置の制御方法は、上記課題を解決するため、表示装置が映像を表示するために、該表示装置に映像データを送信するセンタ装置の制御方法であって、前記センタ装置は、前記表示装置にデータを送信する送信手段と、送信すべき映像データを切り換える映像切換手段と、前記映像データをエンコードするエンコード手段とを備えており、前記センタ装置が行うエンコードと、前記デコード手段が行うデコードとの同期を取るための時間情報である第１のタイムスタンプであって、前記映像切換手段が切り換えた映像データを前記エンコード手段がエンコードするときに生成する第１のタイムスタンプを取得し、取得した第１のタイムスタンプを前記表示装置に送信するように前記送信手段を制御することを特徴としている。
【００４０】
上記の方法によると、送信手段を制御して、映像切換手段が切り換えた映像データをエンコードするときに生成する第１のタイムスタンプを表示装置に送信する。これにより、表示装置は、エンコードされている時点を把握でき、この時点に基づいて、映像の表示の乱れがなくなる時点を推定することができる。したがって、この推定した時点を、隠蔽を終了する時点とすることにより、隠蔽を終了する時点を映像の表示の乱れが終了する時点に従来よりも近づけることができるので、上記隠蔽の期間を短くすることができる。
【００４１】
なお、上記表示装置における各手段を、表示装置制御プログラムによりコンピュータ上で実行させることができる。また、上記センタ装置における各手段を、センタ装置制御プログラムによりコンピュータ上で実行させることができる。さらに、上記表示装置制御プログラム、および／または、上記センタ装置制御プログラムをコンピュータ読取り可能な記録媒体に記憶させることにより、任意のコンピュータ上で上記表示装置制御プログラム、および／または、上記センタ装置制御プログラムを実行させることができる。
【発明の効果】
【００４２】
本発明に係る表示装置は、以上のように、映像切換動作により映像の表示が乱れることを隠蔽することを、センタ装置に映像切換を指示した場合ではなく、センタ装置から切換関連データを取得した場合に行っているので、上記隠蔽を開始する時点を、映像の表示の乱れが始まる時点に従来よりも近づけることができ、上記隠蔽の期間を短くすることができるという効果を奏する。
【発明を実施するための最良の形態】
【００４３】
本発明に係るワイヤレスＡＶシステムは、ＡＶ出力装置（モニタ側）とワイヤレスセンタ（チューナ側）とが分離した形態を有し、主としてワイヤレスでモニタ側とチューナ側とが通信を行うシステムである。かかるシステムにおいて、モニタ側がチューナ側からチャネルの選局切換や入力切換を行うタイミング情報を入手することにより、映像入力を切り替える際におけるモニタに表示させる画像のミュート処理期間を適切に設定できるようにすることを特徴とする。タイミング情報は、例えば、チャネル切換処理要求をモニタ側からチューナ側に対して行った場合に、実際にチューナ側においてチャネル切換処理を行った旨のレスポンスを受け取った時間情報であっても良い。例えば、モニタ側において上記レスポンスを受け取った時間を起点として一定期間だけ映像ミュートを行うことにより、原理的にはワイヤレスセンタにおける遅延時間、主としてＭＰＥＧ２へのエンコードに起因する遅延時間分だけ従来のミュート時間を短縮することができる。
【００４４】
〔実施の形態１〕
以下、本発明の好適な実施の一形態であるワイヤレスＡＶシステムとして、テレビ受信・再生システムを例にして図面を参照しつつ説明を行う。図１は、本実施の形態であるテレビ受信・再生システムの構成例を示す図である。図２は、図１に示したテレビ受信・再生システムにおけるワイヤレスセンタユニット（チューナ側装置）の構成例を示す機能ブロック図である。図３は、図１に示したテレビ受信・再生システムにおけるＴＶ本体ユニット（モニタ側装置、ＴＶ側装置）の構成例を示す機能ブロック図である。図４は、図１に示したテレビ受信・再生システムにおいてワイヤレスセンタユニットとＴＶ本体ユニットとの間でやりとりされる送受信データの構成例を示す図である。図５は、図３に示したＴＶ本体ユニットに対して利用されるリモートコントロール装置の構成例を示す平面図である。図６は、図１に示したテレビ受信・再生システムにおけるワイヤレスセンタユニットとＴＶ本体ユニットとの間の双方向通信のシーケンス例を示す図である。図７は、図１に示したテレビ受信・再生システムにおけるミュート期間を、従来のミュート期間と比較して示すタイミングチャートである。図１０は、ディスプレイ分離型のワイヤレスＴＶ受信機であるテレビ受信・再生システムの概略を示した説明図である。
【００４５】
図１および図１０に示すように、本実施の形態のテレビ受信・再生システム１（ワイヤレスＡＶシステム，映像表示システム）は、ベース機器としてのワイヤレスセンタユニット（以下、ワイヤレスセンタという）３と、ポータブル端末（無線端末）としてのＴＶ（テレビジョン）本体ユニット（以下、ＴＶ本体という）５とを含んで構成されている。ワイヤレスセンタ３（通信装置，センタ装置）とＴＶ本体５（通信装置，表示装置）とはペアとなって無線伝送ネットワークを構成する。
【００４６】
図１０に示すように、ＴＶ本体５は、バッテリ内蔵でワイヤレスである。また、リモコンを備えて、ビデオデッキなどのリモコン操作ができるようになっている。また、ワイヤレスセンタ３は、ＢＳやＵ／ＶＨＦ等のアンテナやＤＶＤプレーヤやビデオデッキ等のＡＶ機器等に接続されている。そして、ワイヤレスセンタ３からＴＶ本体５へ、映像及び／又は音声データがワイヤレス伝送されるようになっている。また、ワイヤレスセンタ３とＴＶ本体５との間でコマンドが双方向にワイヤレス伝送されるようになっている。
【００４７】
図１に示すように、ワイヤレスセンタ３は、デジタルＶＴＲ，ＤＶＤプレーヤなどの機器からの外部入力のための端子である、ビデオ１入力端子（Ｓ端子付き）７ａと、ビデオ２入力端子（デコーダ入力）７ｂと、ビデオ３入力端子（モニタ／ＢＳ出力兼用）７ｃと、ＡＣ電源１１ａまたはＣａｒ−ＤＣ電源１１ｂから電力が供給される電力供給端子と
ＢＳ端子１５ａ、ＵＨＦ／ＶＨＦ端子１５ｂ、ダイバーシティ端子１５ｃの各アンテナ端子とを有している。
【００４８】
一方、ＴＶ本体５は、デジタルＶＴＲ，ＤＶＤ（Digital Versatile Disc）プレーヤなどの機器からの外部入力のための端子であるビデオ４入力端子（ＴＶ出力兼用）２１と、ＡＣ電源２３ａまたはＣａｒ−ＤＣ電源２３ｂから電力が供給される電源入力端子とを有している。
【００４９】
ＴＶ本体５は、ワイヤレスセンタ３と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本明細書において、ＴＶ本体５は、主として表示出力機能や音響出力機能などを有し、一方、ワイヤレスセンタ３は、主としてチューナ部やＴＶ本体５を制御する制御機能などを収容する。本実施の形態によるＴＶ本体５は、薄型表示装置として液晶テレビを例にして説明する。
【００５０】
ワイヤレスセンタ３とＴＶ本体５との間は、ＩＥＥＥ８０２．１１ｂ規格に準拠するＳＳ（Spread Spectrum：スペクトラム拡散）無線方式によりデータ（映像及び／又は音声データ）が送受信される。これにより、ワイヤレスセンタ３とＴＶ本体５とは、無線により関連付けされることになる。最近、周波数帯として５ＧＨｚ帯が開放され、２．４ＧＨｚ帯の代わりに５ＧＨｚ帯を用いる態様でもよい。
【００５１】
ワイヤレスセンタ３からＴＶ本体５に向けて、無線によりＭＰＥＧ（Moving Picture Expert Group）２ストリーム情報が送られる。また、ワイヤレスセンタ３とＴＶ本体５との間で、その他のコマンドデータなどが双方向通信により伝送される。
【００５２】
次に、ワイヤレスセンタ（チューナ側装置）２の構成例について図２を参照して説明する。なお、図１において説明した構成要素については説明を省略する。
【００５３】
図２に示すように、ワイヤレスセンタ３は、装置全体を制御するワイヤレスセンタマイクロコンピュータ（以下、マイコンという）４１（制御手段）と、第１ＡＶセレクタ４３（映像切換手段）と、スペクトラム拡散（ＳＳ）送信ユニット４５（通信手段，送信手段，受信手段）とを有している。ビデオ１入力端子（外部入力１）７ａ、ビデオ２入力端子（外部入力２）７ｂ、およびビデオ３入力端子（外部入力３）７ｃは、ＡＶセレクタ４３と関連付けされている。
【００５４】
ワイヤレスセンタマイコン４１は、切換要求取得部１４０（切換要求取得手段）、および切換要求応答部１４１（切換関連データ送信制御手段）を備える構成である。
【００５５】
さらに、ワイヤレスセンタ３は、ＢＳ端子１５ａに接続されるＢＳ（Broadcasting Satellite）チューナ３３（映像切換手段）と、ＵＨＦ／ＶＨＦ端子１５ｂに接続されるＵ／ＶＨＦチューナ３１（映像切換手段）とを有している。ＢＳチューナ３３およびＵ／ＶＨＦチューナ３１は、第１記憶部（ＥＥＰＲＯＭ）４７（記憶手段）と関連付けされたワイヤレスセンタマイコン４１からの選局コマンド３１ａに基づいて選局処理を行う。選局処理が行われた後の映像・音声（ＡＶ）信号は、映像・音声復調器３５に入力されて復調される。音声切換部３７は、ワイヤレスセンタマイコン４１からの音声切換コマンド３７ａに基づいて、映像・音声復調器３５からの音声と、ＥＰＧ（Electrical Program Guide：電子番組ガイド）などの番組に関する情報とを切り換える音声切換処理を行う。
【００５６】
映像信号と音声切換処理が行われた後の音声信号とは、第１のＡＶセレクタ４３に入力される。第１のＡＶセレクタ４３は、ワイヤレスセンタマイコン４１からのソース選択コマンド４３ａに基づいてソース選択処理を行い、ＳＳ送受信ユニット４５に入力する。このソース選択処理は、チューナ３１・３３からの映像・音声情報、番組に関する情報、ビデオ１入力端子（外部入力１）７ａ、ビデオ２入力端子（外部入力２）７ｂ、ビデオ３入力端子（外部入力３）７ｃからの外部入力情報の中からソース選択コマンド４３ａに基づいて選択するものである。
【００５７】
ＳＳ送受信ユニット４５は、Ａ／Ｄ変換器５１と、ＭＰＥＧ２エンコーダ５３（エンコード手段）と、第１のＳＳ無線送受信エンジン５５と、これらを制御する第１のＳＳ−ＣＰＵ５７とを有している。第１のＡＶセレクタ４３にてソース選択処理が行われた映像・音声信号等は、Ａ／Ｄ変換器５１によりＡ／Ｄ変換され、例えばＭＰＥＧ２エンコーダ５３によりＭＰＥＧ２形式にエンコードされる。第１のＳＳ無線送受信エンジン５５は、ワイヤレスセンタマイコン４１からのＴＶコマンド５７ａに基づいて、ＭＰＥＧ２形式にエンコードされたデータをＴＶ本体５にＳＳ無線方式により送信するとともに、種々のコマンド（データ）をＴＶ本体５との間でＳＳ無線方式により双方向に通信する。
【００５８】
第１のＳＳ−ＣＰＵ５７は、ワイヤレスセンタマイコン４１からのＴＶコマンド５７ａを受信するとともに、ＴＶ本体５から受信したＴＶコマンド５７ａをワイヤレスセンタマイコン４１に送信する。
【００５９】
ＥＥＰＲＯＭ（electrically erasable programmable ROM）（第１記憶部）４７は、ワイヤレスセンタマイコン４１の制御プログラム、通信制御データ等の種々のデータを記憶する電気的に書換可能な不揮発性メモリである。ＥＥＰＲＯＭ４７に書き込むプログラムを変えることによってワイヤレスセンタ３及びＴＶ本体５における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の大幅な短縮を図っている。また、プログラムをダウンロードしてＥＥＰＲＯＭのプログラム内容を書き換えるようにすれば機能のアップグレードや機能の変更を容易に行うことが可能になる。
【００６０】
次に、ＴＶ本体５の構成例について図３を参照して説明する。なお、図１において説明した構成要素については説明を省略する。
【００６１】
図３に示すように、ＴＶ本体５は、第２記憶部（ＥＥＰＲＯＭ）７３（記憶手段）が関連付けされているＴＶマイコン６５（制御手段）と、ＳＳ送受信ユニット６１（通信手段，受信手段，送信手段）と、第２のＡＶセレクタ６７と、ＯＳＤ（オン・スクリーン・ディスプレイ）合成部９３と、ＴＶ部７１（表示手段）と、リモートコントロール装置（以下、「リモコン装置」と称する。）（図５）の入力を受け付けるリモコン受光部７５とを有している。ＳＳ送受信ユニット６１は、第２のＳＳ無線送受信エンジン７７と、ＭＰＥＧ２デコーダ８１（デコード手段）と、Ｄ／Ａ変換器８３と、これらを制御する第２のＳＳ−ＣＰＵ８５とを有している。さらに、ＴＶ本体５は、バッテリ駆動に対応しており、それに応じてバッテリ８７ｂと、バッテリ８７ｂの充放電を制御するバッテリチャージャマイコン８７ａとを有している。
【００６２】
ＴＶマイコン６５は、映像ミュート部１５０（映像乱れ隠蔽手段）、および切換コマンド作成部１５１（切換コマンド送信制御手段）を備える構成である。
【００６３】
ワイヤレスセンタ３から送られＭＰＥＧ２形式にエンコードされているストリーミング情報は、ＴＶマイコン６５からのＴＶコマンド８５ａを受信したＳＳ−ＣＰＵ８５の指示により、ＳＳ送受信ユニット６１内の第２のＳＳ無線送受信エンジン７７において受信され、ＭＰＥＧ２デコーダ８１においてデコードされ、Ｄ／Ａ変換器８３においてＤ／Ａ変換される。Ｄ／Ａ変換された映像・音声信号は、第２のＡＶセレクタ６７において、ビデオ４入力端子（外部入力４）２１からの外部入力信号とのいずれを選択するかがＴＶマイコン６５からのソース選択コマンド６７ａに基づいて行われ、ＯＳＤ合成部９３において、例えば、ＴＶマイコンからのＯＳＤ出力コマンド９３ａに基づいて任意のＯＳＤ処理が行われた後に、ＴＶ部７１に送られ、ＴＶ部７１の画面上に映像・音声信号に基づく表示出力・音声出力が行われる。
【００６４】
また、ＳＳ送受信ユニット６１において、ＳＳ無線送受信エンジン７７は、種々のコマンド（データ）をＴＶ本体５との間でＳＳ無線方式により双方向に通信する。また、ＳＳ−ＣＰＵ８５は、ＴＶマイコン６５からのＴＶコマンド８５ａを受信するとともに、ワイヤレスセンタ３から受信したＴＶコマンド８５ａをＴＶマイコン６５に送信する。
【００６５】
ＥＥＰＲＯＭ（第２記憶部）７３は、ＴＶマイコン６５の制御プログラム、通信制御データ等の種々のデータを記憶する電気的に書換可能な不揮発性メモリである。ＥＥＰＲＯＭ７３に書き込むプログラムを変えることによってＴＶ本体５における各種の仕様を変更することができる。
【００６６】
図４は、本実施の形態であるテレビ受信・再生システム１において、ワイヤレスセンタ３（チューナ側）とＴＶ本体５（モニタ側）との間でやり取りされる送受信データの構成例を示す。図４に示すように、送受信データ１３１は、第１のＳＳ無線送受信エンジン５５と第２のＳＳ無線送受信エンジン７７との間で、アイソサイクル（ｉｓｏｃｙｃｌｅ）１３２によって規定された一定周期毎に送受信処理を行う。図４に示すように、ルート（Ｒ）であるワイヤレスセンタ３がリーフ（Ｌ）であるＴＶ本体５にＲパケット１３３を送信し、ギャップ１３４の後に、リーフ（Ｌ）であるＴＶ本体５がルート（Ｒ）であるワイヤレスセンタ３にＬパケット１３５を送信し、ギャップ１３６の後に、１つのアイソサイクル１３２が終了する。
【００６７】
Ｒパケット１３３は、ロングプリアンブル（１Ｍｂｐｓ）を使用する部分と、その他のデータ部分（１１ＭＨｚ）とを含んでいる。ロングプリアンブル（１Ｍｂｐｓ）を使用する部分は、シンクロナスデータ（Ｓｙｎｃ）１４１とＰＨＹヘッダデータ（ＰＨＹ  Ｈｅａｄｅｒ）１４３とを含んでおり、１９２μｓの期間である。
【００６８】
一方、その他のデータ部分は、ＭＡＣヘッダデータ（ＭＡＣ  Ｈｅａｄｅｒ）１４５と、コントロールデータ（ＣＢ）１４７と、非同期データ（Ａｓｙｎｃ）１５１と、同期データ（アイソクロナスデータ）（ＩＳＯ  Ｄａｔａ）１５３とを有しており、２８２８μｓの期間である。非同期データ１５１は、ワイヤレスセンタ３からＴＶ本体５へ送られるステータス・コマンドを含むデータである。同期データ１５３はＭＰＥＧ２のＡＶストリームデータである。
【００６９】
Ｌパケット１３５は、Ｒパケット１３３と同様に、ロングプリアンブル（１Ｍｂｐｓ）を使用する部分と、その他のデータ部分（１１ＭＨｚ）とを含んでいる。ロングプリアンブル（１Ｍｂｐｓ）を使用する部分は、Ｒパケット１３３と同様に、シンクロナスデータ（Ｓｙｎｃ）１６１とＰＨＹヘッダデータ（ＰＨＹ  Ｈｅａｄｅｒ）１６３とを含んでおり、１９２μｓの期間である。
【００７０】
一方、その他のデータ部分は、ＭＡＣヘッダデータ（ＭＡＣ  Ｈｅａｄｅｒ）１６５と、リトライタグ（Ｒｅｔｒｙ  Ｔａｇ）１６７と、非同期データ（Ａｓｙｎｃ）１７１とを有しており、１５７．１μｓの期間である。非同期データ１７１は、ＴＶ本体５からワイヤレスセンタ３へ送られるステータス・コマンドを含むデータである。
【００７１】
Ｒパケット１３３とＬパケット１３５との間には、ギャップ（ＧＡＰ）１３４が設けられ、ギャップ１３４の期間は１２０μｓである。同様に、Ｌパケット１３５とＲパケット１３３との間には、ギャップ（ＧＡＰ）１３６が設けられ、ギャップ１３６の期間は１２０μｓである。
【００７２】
以上説明した送受信データ１３１が、全体として３.６ｍｓサイクルで送られている。尚、この３.６ｍｓサイクルという時間は、上記遅延に関する数秒間という期間に比べれば非常に短い。
【００７３】
本実施の形態のテレビ受信・再生システム１では、チャネル選局や入力切換の指示は、ＴＶ本体５に対して各種の指示を行うリモコン装置２００で行われる。図５は、リモコン装置２００の構成例である。図５に示すように、リモコン装置２００は、チャネル番号を入力するチャネル番号入力部２０１と、選択決定ボタン２０３と、アップダウン選局ボタン２０５と、電源スイッチ２０７と、（外部）入力切換ボタン２０８とを有している。チャネル番号入力部２０１は、ダイレクト選局ボタンを有しており、これによりチャネル番号により直接入力することができる。アップダウン選局ボタン２０５は、チャネル選局を±で選局する。選択決定ボタン２０３は、選択ボタン２０３ａと決定ボタン２０３ｂとを有している。
【００７４】
次に、図６に示すシーケンス図を参照して、ワイヤレスセンタ３のワイヤレスセンタマイコン４１およびＳＳ送受信ユニット４５と、ＴＶ本体５のＳＳ送受信ユニット６１およびＴＶマイコン６５とにおいて行われる切換処理を、チャネル切換処理を例にして時系列的に説明する。
【００７５】
例えば、リモコン装置２００からのチャネル切換処理の要求は、ＴＶマイコン６５の切換コマンド作成部１５１がＴＶ本体５のＳＳ送受信ユニット６１とワイヤレスセンタ３のＳＳ送受信ユニット４５とを介してワイヤレスセンタマイコン４１の切換要求取得部１４０に要求コマンドを送信することにより行われる（１０１・１０３・１０５）。
【００７６】
これに対して、ワイヤレスセンタマイコン４１は、ワイヤレスセンタ３のＳＳ送受信ユニット４５とＴＶ本体５のＳＳ送受信ユニット６１とを介してＴＶマイコン６５に、チャネル切換処理の要求コマンドを受け取った旨の応答（Ａｃｋ）を返す（１０７・１１１・１１５）。また、ＳＳ送受信ユニット６１からＴＶマイコン６５に対して送信処理応答１０４も返信される。この間、ＴＶ本体５のＴＶマイコン６５は、タイムアウト監視１１７ａを行っている。
【００７７】
ワイヤレスセンタマイコン４１は、チャネル切換処理の要求コマンドを受け取ると、受け取った要求コマンドに対応する要求処理１１８を実行する。要求処理１１８の実行が完了すると、ワイヤレスセンタマイコン４１の切換完了応答部１４１は、要求処理が実行済みである旨の処理完了情報を、ＴＶマイコン６５に対して処理応答という形で伝達される（１２１・１２３・１２５）。
【００７８】
本実施形態では、この処理完了情報の処理応答を、ＴＶ本体５において受け取ると、ＴＶマイコン６５の映像ミュート部１５０は、この時点を起点として予めＥＥＰＲＯＭ７３などに記憶されている期間だけ、ＴＶ部７１の画面に表示される映像に対して画像処理を行い、チャネル切換時の遅延に起因する表示の乱れを隠蔽するミュート処理を行う。
【００７９】
この期間は、例えば、ワイヤレスセンタ３から送られ、かつＭＰＥＧ２形式にエンコードされた映像信号のＴＶ本体５におけるデコード時間に基づいて設定される。例えば、デコード時間よりも長めの時間に設定すれば良い。また、この期間は、デコード時間に加えてＴＶ本体５におけるその他の遅延時間を加味して設定されるが、あまり長くするとミュート時間の短縮効果が低減するため、その他の遅延時間を適正な値、例えば予測される遅延時間にある程度のマージンを加味して設定すれば良い。尚、実際には、映像がＴＶ本体５のＴＶ部７１に表示されるまでには、処理応答伝達１２５を受け取っているため、映像信号がデコード処理されるまでの遅延が存在するため、その分だけミュート処理の起点を遅らせても良い。
【００８０】
次に、本実施の形態のテレビ受信・再生システム１における映像ミュートのタイミングを、図７を参照して、従来の映像ミュートのタイミングと比較しつつ説明する。従来の映像ミュート信号は、リモコン装置２００等でＴＶ本体５側にて選局操作が行われると、その選局操作のタイミングで生成することにより、このタイミングで映像ミュートを開始する（図７（ｂ）（ｄ））。
【００８１】
これに対し、本発明に係るテレビ受信・再生システム１では、ＴＶ本体５からワイヤレスセンタ３に送られた選局操作信号に対し、ワイヤレスセンタ３が実際に選局動作を行い、その結果を応答信号としてＴＶ本体５に送信し、ＴＶ本体５が上記応答信号を受信したタイミングで映像ミュート信号を生成することにより、このタイミングで映像ミュートを開始する（図７（ａ）（ｃ）（ｅ））。したがって、図７を参照することにより、ＴＶ本体５が選局操作を行ってから、ワイヤレスセンタ３が実際に選局動作を行うまでの期間は、映像ミュートが行われないので、映像ミュートの開始を遅くできることが理解できる。
【００８２】
本実施の形態のテレビ受信・再生システム１においては、ＴＶ本体５側においてチャネルの選局切換や外部入力切換のための指示を行った後に、実際にエンコード処理が行われた旨のワイヤレスセンタ３からの応答を受け取った時点を、映像ミュート処理を開始する起点として設定している。これにより、ＴＶ本体５側において映像ミュート処理を行う始点に関する情報を得ることができ、この情報に基づいて映像ミュート処理を行うため、映像ミュート時間を設定するための基準を得ることができる。従って、余分なマージンを加味する必要がないため、映像ミュート時間を短めにすることができるという効果を奏する。
【００８３】
〔実施の形態２〕
次に、本発明の他の実施の形態であるテレビ受信・再生システムについて、図８および図９を参照しつつ説明を行う。なお、図１〜図６も適宜参照する。また、上記実施形態で説明した構成と同様の機能を有する構成には同一の符号を付して、その説明を省略する。
【００８４】
本実施の形態のテレビ受信・再生システム１では、ワイヤレスセンタ３が、放送情報のエンコード処理の際に第１のタイムスタンプ情報を取得するタイムスタンプ情報取得部を有しており、これにより取得された第１のタイムスタンプ情報又は予測値を、ＴＶ本体５側に送る機能を有している点を特徴とする。また、デコーダ側における第２のタイムスタンプ情報をＴＶマイコン６５に出力する点と、第１のタイムスタンプ情報と第２のタイムスタンプ情報とに基づいてミュートタイミングを制御する点とを特徴とする。
【００８５】
ＭＰＥＧ２エンコーダは、ＭＰＥＧ２ＴＳ（Transport Stream）のコントロールデータに基準時刻を設定してデコーダに一定時間間隔で送付する。また、ＭＰＥＧ２エンコーダは、エンコード時にＭＰＥＧ２ＴＳパケットに基準時間から作成したタイムスタンプを設定する。一方、ＭＰＥＧ２デコーダは、受信したＭＰＥＧ２ＴＳのタイムスタンプと前述の基準時刻とを比較して一致した時にデコードを開始する。
【００８６】
図８は、本実施の形態によるテレビ受信・再生システム１の簡略化された構成を示す機能ブロック（図１に対応する図）であり、映像ミュート処理に関連する情報の流れを示す図である。図４に示すパケット構成例において、ワイヤレスセンタ３（Ｒ）からテレビ本体５（Ｌ）に送られるＲパケット１３３には、ＭＰＥＧ２形式にエンコードされた同期データ（情報ストリーム）１５３が含まれる。このＭＰＥＧ２形式にエンコードされた同期データ（情報ストリーム）１５３の中には、情報を時間管理するための第１のタイムスタンプ情報が組み込まれている。
【００８７】
第１のタイムスタンプ情報とは、具体的には、ＰＣＲ（Program Clock Reference）のことである。ＰＣＲとは、ＭＰＥＧ２デコーダ８１において時刻基準となるＳＴＣ（System Time Clock）の値をセット・校正するための情報である。ＭＰＥＧ２デコーダ８１は、ＳＴＣの値を基準に動作を行うが、このＳＴＣを同期データ１５３に組み込まれているＰＣＲでセット・校正することにより、ＭＰＥＧ２エンコーダ５２との同期を取ることができる。
【００８８】
そこで、図８に示すように、例えば、ＭＰＥＧ２エンコーダ５３においてエンコードされたＭＰＥＧ２形式の同期データであるテレビ情報データ中で組み込まれている第１のタイムスタンプ情報を、第１のＳＳ−ＣＰＵ５７を介してワイヤレスセンタマイコン４１のタイムスタンプ取得部１４２（タイムスタンプ送信制御手段）が取得する（ｉ，ｉｉ）。次に、ワイヤレスセンタマイコン４１は、取得した第１のタイムスタンプ情報を、第１のＳＳ−ＣＰＵ５７を介して第１のＳＳ無線送受信エンジン５５からＴＶ本体５に送る（ｉｉｉ，ｉｖ，ｖ）。ＴＶ本体５に送られた第１のタイムスタンプ情報は、第２のＳＳ無線送受信エンジン７７から第２のＳＳ−ＣＰＵ８５を介してＴＶマイコン６５に送られて（ｖｉ，ｖｉｉ）、ＴＶマイコン６５の記憶部６５ａ内に記憶される。
【００８９】
一方、ＭＰＥＧ２形式にエンコードされた映像ストリームは、第１のＳＳ無線送受信エンジン５５からテレビ本体５の第２のＳＳ無線送受信エンジン７７を経てＭＰＥＧ２デコーダ８１に送られる（Ｉ，ＩＩ，ＩＩＩ）。ＭＰＥＧ２デコーダ８１は、デコードされた同期データストリームをＭＰＥＧ２デコーダ８１の外部出力端子８８に送る。一方、ＭＰＥＧ２デコーダ８１は、入力されたＭＰＥＧ２データに基づいて、第２のタイムスタンプ情報を、第２のＳＳ−ＣＰＵ８５を経てＴＶマイコン６５に送る（ａ，ｂ）。
【００９０】
第２のタイムスタンプ情報とは、具体的には、ＤＴＳ（Decoding Time Stamp）のことである。ＤＴＳとは、ＭＰＥＧ２デコーダ８１において映像信号のデコードの時刻を管理する情報である。ＭＰＥＧ２デコーダ８１、上記ＤＴＳと上記ＳＴＣが一致したときに映像信号のデコードを開始する。すなわち、ＤＴＳには所定の時刻が設定されており、ＳＴＣで刻まれる時刻がそのＤＴＳに設定された時刻に達したときに、映像信号のデコードを開始する。
【００９１】
ＴＶマイコン６５は、記憶部６５ａに記憶されている第１のタイムスタンプ情報と、第２のタイムスタンプ情報とに基づいて、映像ミュートのタイミングを決定する。ＴＶマイコン６５は、この決定されたタイミング情報を上記外部出力端子８８に送ることにより（ｖｉｉｉ）、映像ミュートのタイミングを制御する。
【００９２】
図９は、本実施の形態のテレビ受信・再生システムにおけるミュート期間を、従来のミュート期間と比較して示すタイミングチャートである。なお、図９（ａ）（ｂ）（ｃ）に示される信号は、それぞれ図７（ａ）（ｂ）（ｃ）に示される信号と同様であるのでその説明を省略する。従来の映像ミュート信号は、ＭＰＥＧ２のデコードに要する時間を予め推定し、その推定した時間に基づいて適当な時間を設定し、設定した時間の経過後に映像ミュートを終了する（図９（ｅ））。
【００９３】
これに対し、本発明に係るテレビ受信・再生システム１では、上記第１および第２のタイムスタンプ情報から、ＭＰＥＧ２デコーダ８１が映像データのデコードを開始するタイミングを取得し、そのタイミングで映像ミュートを終了する（図９（ｄ）（ｆ））。したがって、図９を参照すると、映像ミュートは、ワイヤレスセンタ３が実際に選局動作を行ってから開始し、映像データのデコードの開始にタイミングを合わせて終了するので、映像ミュートの期間から無駄な期間を省略して最適化できることが理解できる。
【００９４】
本実施の形態によるテレビ受信・再生システム１は、ＭＰＥＧ２の実際のエンコード処理又はデコード処理に用いられるタイムスタンプ情報を取得し、取得したタイムスタンプ情報に基づいてミュートタイミングを制御するため、正確にミュートタイミングを決めることが可能である。
【００９５】
以上、本発明のワイヤレスＡＶシステムにおけるテレビ受信・再生システムについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【００９６】
例えば、上記実施の形態では、テレビ受信・再生システムを例にして説明したが、他のＡＶシステムにも適用可能である。また、ワイヤレスにより関連付けされたＡＶ機器に対して適用した例に基づいて説明したが、有線などによりネットワーク化されたＡＶ機器にも適用できるのは言うまでもない。また、切換処理に関して映像のミュート処理を行う例について説明したが、他の映像処理を行っても良い。
【００９７】
また、上記実施形態では、選局または入力切換をリモコン装置２００から行っているが、ワイヤレスセンタ３が自動的に映像データを切り換えることも考えられる。この場合、切換要求コマンドとその応答のやりとりが不要となる。
【００９８】
また、上記実施形態では、ワイヤレスＡＶ機器として携帯ＴＶを用いているが、ＴＶ受信機に限らず無線通信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信の可能な装置として、パソコンに代表される情報機器機能に融合された装置であってもよく、全てのシステムに適用可能である。また、送受信データの内容はどのようなものであってもよい。
【００９９】
また、本実施の形態では、ＴＶ受信機で説明したが、これに限定されるものではなく、前述のように、チューナとパソコンや、チューナを使用する他のＡＶ機器にも応用できる。
【０１００】
また、上記無線通信装置及びワイヤレスＡＶシステムを構成する各処理部等の種類、設定情報の種類・形式などは前述した実施形態に限られない。特に、ＨＡＶｉ（Home Audio/Video Interoperability）に準拠する機器に適用して好適である。
【０１０１】
また、チューナとして、ＢＳチューナとＵＨＦ／ＶＨＦチューナの２つの放送を例に挙げているが、ＣＳ（Communications Satellite）チューナ、ＣＡＴＶ（Cable Television）チューナなど放送の種類や数はこれに限定されるものではない。
【０１０２】
また、本実施の形態ではテレビ受信・再生システムという名称を用いたが、これは説明の便宜上であり、無線通信機器、ＡＶ機器、機器コントロールシステム等であってもよい。
【０１０３】
以上説明したワイヤレスＡＶシステムは、このワイヤレスＡＶシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【０１０４】
いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【０１０５】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【０１０６】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。
【０１０７】
なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【０１０８】
なお、本実施の形態は本発明の範囲を限定するものではなく、本発明の範囲内で種々の変更が可能であり、例えば、以下のように構成することができる。
【０１０９】
本発明に係るワイヤレスＡＶシステムは、チャネル選択を行うチューナ部と、該チューナ部により選局された放送情報と、前記チューナ部に対する選局処理を含む切換関連処理の実行を要求するコマンドデータと、の送受信を行う第１の送受信部と、を有するワイヤレスセンターと、表示部と、前記切換関連処理を促すための入力を受け付ける入力部と、前記放送情報を受信するとともに前記第１の送受信部との間でコマンドデータの送受信が可能な第２の送受信部と、前記入力操作に基づいて、前記第１の送信部と前記第２の送信部との間で伝送可能なコマンドデータに変換する変換部と、前記コマンドデータに基づく前記切換関連処理を行うタイミングに関するタイミング情報を前記ワイヤレスセンターから取得し、取得した該タイミング情報に基づいて切換関連処理に伴う遅延に起因する表示の乱れを隠蔽するための映像処理の切換タイミングを制御する制御部と、を有するＡＶ出力装置と、を具備する構成である。
【０１１０】
また、本発明に係るワイヤレスＡＶシステムは、上記の構成において、前記映像処理は、映像をミュート状態にする処理を含む構成である。
【０１１１】
また、本発明に係るワイヤレスＡＶシステムは、上記の構成において、前記制御部は、前記ＡＶ出力装置から送られる前記コマンドデータに基づいて前記切換関連処理を完了した旨の応答を前記ＡＶ出力装置が前記ワイヤレスセンターから受け取った時点を起点として第１の期間だけ前記表示部の映像ミュート切換処理を行うように制御を行う構成である。
【０１１２】
また、本発明に係るワイヤレスＡＶシステムは、上記の構成において、前記第１の期間は、前記ワイヤレスセンターから送られエンコードされた前記放送情報を前記ＡＶ出力装置においてデコードするデコード期間と、デコード処理以外の遅延時間とを考慮して定められた時間である構成である。
【０１１３】
また、本発明に係るワイヤレスＡＶシステムは、上記の構成において、前記制御部は、前記起点から第１の時間後に前記表示部の映像ミュート切換処理を行うように制御を行う構成である。
【０１１４】
また、本発明に係るワイヤレスＡＶシステムは、上記の構成において、前記第１の時間は、前記デコード処理以外の前記ＡＶ出力装置側における遅延時間に基づいて定められる構成である。
【０１１５】
本発明に係るＡＶ出力装置は、チャネル選択を行うチューナ部と、該チューナ部により選局された放送情報と、前記チューナ部に対する選局処理を含む切換関連処理の実行を要求するコマンドデータと、の送受信を行う第１の送受信部と、を有するワイヤレスセンターと関連付けされ、表示部と、前記切換関連処理を促すための入力操作を受け付ける入力部と、前記放送情報を受信するとともに前記第１の送受信部との間でデータの送受信が可能な第２の送受信部と、前記入力操作に基づいて、前記第１の送信部と前記第２の送信部との間で伝送可能なコマンドに変換する変換部と、前記切換関連処理のタイミングに関するタイミング情報を前記ワイヤレスセンターから取得し、取得した該タイミング情報に基づいて映像ミュート切換タイミングを制御する制御部とを有する構成である。
【０１１６】
本発明に係るワイヤレスセンタは、表示部と、選局処理を含む切換関連処理の実行を要求するための入力操作を受け付ける入力部と、を有するＡＶ出力装置と関連付けされ、前記入力操作に応じて、チャネル選択を行うチューナ部と、該チューナ部により選局された放送情報と、前記切換関連処理を行うタイミングに関するタイミング情報と、の送受信を行う第１の送受信部と、を有する構成である。
【０１１７】
本発明に係るワイヤレスＡＶシステムは、チャネル選択を行うチューナ部と、該チューナ部により選局された放送情報と、該放送情報と関連し前記チューナ部に対する選局処理を含む切換関連処理の実行を要求するコマンドデータを受け取るとともに、前記放送情報のエンコード処理の際に取得される第１のタイムスタンプ情報を送る第１の送受信部と、を有するワイヤレスセンターと、表示部と、前記切換関連処理を促すための入力操作を受け付ける入力部と、前記放送情報を受信するとともに前記第１の送受信部との間でデータの送受信が可能な第２の送受信部と、前記入力操作に基づいて、前記第１の送信部と前記第２の送信部との間で伝送可能なコマンドに変換する変換部と、前記放送情報のエンコード処理の際に第１のタイムスタンプ情報を前記ワイヤレスセンターから取得するタイムスタンプ情報取得部と、取得した該第１のタイムスタンプ情報に基づいて映像ミュート切換タイミングを制御する制御部と、を有するＡＶ出力装置と、を具備する構成である。
【０１１８】
また、本発明に係るワイヤレスＡＶシステムは、上記の構成において、さらに、前記ワイヤレスセンターにおいて前記放送情報をエンコードする際に前記第１のタイムスタンプ情報を取得して前記ＡＶ出力装置側に送る機能を有している構成である。
【０１１９】
また、本発明に係るワイヤレスＡＶシステムは、上記の構成において、前記制御部は、前記第１のタイムスタンプ情報と前記ＡＶ出力装置における前記放送情報のデコードの際に取得される第２のタイムスタンプ情報とに基づいて、映像ミュート切換タイミングを制御する構成である。
【０１２０】
本発明に係るワイヤレスセンタは、表示部と、選局処理を含む切換関連処理を促すための入力操作を受け付ける入力部と、を有するＡＶ出力装置と関連付けされ、前記入力操作に基づいて、チャネル選択を行うチューナ部と、該チューナ部により選局された放送情報と、前記チューナ部に対する選局処理を含む切換関連処理の実行を要求するコマンドデータと、の送受信を行う第１の送受信部と、前記放送情報をエンコードする際の前記第１のタイムスタンプ情報を取得して前記ＡＶ出力装置に送る機能とを有する構成である。
【０１２１】
本発明に係るＡＶ出力装置は、チャネル選択を行うチューナ部と、該チューナ部により選局された放送情報と、前記チューナ部に対する選局処理を含む切換関連処理の実行を要求するコマンドデータと、の送受信を行う第１の送受信部と、を有するワイヤレスセンターと関連付けされ、表示部と、前記チューナ部に対して選局処理を促すための入力操作を受け付ける入力部と、前記放送情報を受信するとともに前記第１の送受信部との間でデータの送受信が可能な第２の送受信部と、前記入力操作に基づいて、前記第１の送信部と前記第２の送信部との間で伝送可能なコマンドに変換する変換部と、前記前記放送情報のエンコード処理の際に第１のタイムスタンプ情報をワイヤレスセンターから取得し、取得した該第１のタイムスタンプ情報に基づいて映像ミュート切換タイミングを制御する制御部と、を有する構成である。
【０１２２】
また、本発明に係るワイヤレスＡＶシステムは、上記の構成において、前記切換関連処理は、さらに入力切換処理を含む構成である。
【０１２３】
本発明に係るミュート期間決定方法は、放送情報に関するチャネル選択を行うチューナ部を有するワイヤレスセンターと無線により関連付けされ、表示部と、前記チューナ部に対する選局処理を含む切換関連処理を促すための入力操作を受け付ける入力部と、を有するＡＶ出力装置におけるミュート期間決定方法であって、前記入力部における入力操作を行うことにより、切換関連処理を促す切換関連処理コマンドを前記ワイヤレスセンター側に送る第１のステップと、前記切換関連処理のタイミングに関するタイミング情報を前記ワイヤレスセンター側から取得し、取得した該タイミング情報に基づいて映像ミュート切換タイミングを決める第２のステップとを有する方法である。
【０１２４】
また、本発明に係るミュート期間決定方法は、上記の方法において、前記映像ミュート切換タイミングは、前記ワイヤレスセンターにおいて前記切換関連処理を実行した旨の応答を前記ＡＶ出力装置が受け取った時点を起点として決定される方法である。
【０１２５】
また、本発明に係るミュート期間決定方法は、上記の方法において、前記映像ミュート切換タイミングは、前記起点から前記放送情報をエンコードする時間内の一部時間だけ遅延させた時間である。
【０１２６】
本発明に係るミュート期間決定方法は、放送情報に関するチャネル選択を行うチューナ部を有するワイヤレスセンターと無線により関連付けされ、表示部と、前記チューナ部に対する選局処理を含む切換関連処理を促すための入力操作を受け付ける入力部と、を有するＡＶ出力装置におけるミュート期間定方法であって、前記放送情報のエンコード処理の際に得られる第１のタイムスタンプ情報を前記ワイヤレスセンターから受け取る第１のステップと、前記放送情報のエンコード処理の際に得られる第２のタイムスタンプ情報と、前記第１のタイムスタンプ情報と、に基づいて映像ミュート切換タイミングを制御する第２のステップとを有する方法である。
【０１２７】
本発明に係るワイヤレスＡＶシステムは、チャネル選択を行うチューナ部と、該チューナ部により選局された放送情報と、前記チューナ部に対する選局処理を含む切換関連処理の実行を要求するコマンドデータと、の送受信を行う第１の送受信部と、を有するチューナ側装置と、該チューナ側装置と分離可能に形成され、表示部と、前記切換関連処理を促すための入力を受け付ける入力部と、前記放送情報を受信するとともに前記第１の送受信部との間でコマンドデータの送受信が可能な第２の送受信部と、前記入力操作に基づいて、前記第１の送信部と前記第２の送信部との間で伝送可能なコマンドデータに変換する変換部と、前記コマンドデータに基づく前記切換関連処理を行うタイミングに関するタイミング情報を前記チューナ側装置から取得し、取得した該タイミング情報に基づいて切換関連処理に伴う遅延に起因する画像の乱れを隠蔽するための映像ミュート切換タイミングを制御する制御部と、を有するＡＶ出力装置と、を具備する構成である。
【０１２８】
上記システムによれば、チューナ側における遅延とりわけエンコード処理に起因する遅延を加味して映像処理を行うことができ、上記遅延分だけ映像処理期間を短くすることができる。なお、前記制御部は、前記起点から第１の時間後に前記表示部の映像ミュート切換処理を行うように制御を行うのが好ましい。このようにすると、ミュート時間の短縮が可能となる。
【０１２９】
また、本発明によるワイヤレスＡＶシステムにおいては、ＡＶ出力装置（テレビ本体）側において入力やチャネル選局などの切換処理を行った際に、ＭＰＥＧ２エンコーダによる処理などに起因する遅延に基づく画像の乱れを隠蔽するためのミュート処理を行うタイミングを、より精度良くテレビ本体側で知ることができるため、画像ミュート時間を適切に設定することが可能になる。
【産業上の利用可能性】
【０１３０】
本発明のワイヤレスシステムは、映像及び／又は音声データを無線伝送する、例えばディスプレイ分離型のワイヤレスＴＶ受信機のような家庭内ＡＶネットワークシステムに好適であるが、これに限定されず、携帯電話機／ＰＨＳ（Personal Handy-Phone System）（登録商標）や携帯情報端末（ＰＤＡ）などの無線通信機器に広く適用可能である。
【図面の簡単な説明】
【０１３１】
【図１】本発明の一実施形態のテレビ受信・再生システムの構成を示すブロック図である。
【図２】図１に示したテレビ受信・再生システムのワイヤレスセンタの構成を示すブロック図である。
【図３】図１に示したテレビ受信・再生システムのＴＶ本体の構成を示すブロック図である。
【図４】図１に示したテレビ受信・再生システムにおいてワイヤレスセンタユニットとＴＶ本体ユニットとの間でやりとりされる送受信データの構成例を示す図である。
【図５】図３に示したＴＶ本体ユニットに対して利用されるリモートコントロール装置の構成例を示す平面図である。
【図６】図１に示したテレビ受信・再生システムにおけるワイヤレスセンタユニットとＴＶ本体ユニットとの間の双方向通信のシーケンス例を示す図である。
【図７】図１に示したテレビ受信・再生システムにおけるミュート期間を、従来のミュート期間と比較して示すタイミングチャートである。
【図８】本発明の別の実施形態のテレビ受信・再生システムの簡略化された構成を示す機能ブロックであり、特に、映像ミュート処理に関連する情報の流れを示す図である。
【図９】図８に示したテレビ受信・再生システムにおけるミュート期間を、従来のミュート期間と比較して示すタイミングチャートである。
【図１０】ディスプレイ分離型のワイヤレスＴＶ受信機であるテレビ受信・再生システムの概略を示した説明図である。
【符号の説明】
【０１３２】
１  テレビ受信・再生システム（ワイヤレスＡＶシステム，映像表示システム）
３  ワイヤレスセンタユニット（ワイヤレスセンタ，送信機，センタ装置）
５  テレビジョン本体ユニット（ＴＶ本体，受信機，表示装置）
７ａ  ビデオ１入力端子（Ｓ端子付き）
７ｂ  ビデオ２入力端子（デコーダ入力）
７ｃ  ビデオ３入力端子（モニタ／ＢＳ出力兼用）
１１ａ  ＡＣ電源部
１１ｂ  Ｃａｒ−ＤＣ電源部
１５ａ  ＢＳ端子
１５ｂ  Ｕ／ＶＨＦアンテナ端子
１５ｃ  ダイバーシティ端子
２１  ビデオ４入力端子（ＴＶ出力兼用）
２３ａ  ＡＣ電源部
２３ｂ  Ｃａｒ−ＤＣ電源部
３１  Ｕ／ＶＨＦチューナ（映像切換手段）
３３  ＢＳチューナ（映像切換手段）
３５  映像・音声復調部
３７  音声切換部
４１  ワイヤレスセンタマイクロコンピュータ（ワイヤレスセンタマイコン）（制御手段）
４３  第１のセレクタ（映像切換手段）
４５  ＳＳ送受信ユニット（送信手段，受信手段）
４７  ＥＥＰＲＯＭ（記憶手段）
５１  Ａ／Ｄ変換部
５３  ＭＰＥＧ２エンコーダ（エンコード手段）
５５  ＳＳ無線送受信エンジン
５７  ＳＳ−ＣＰＵ
６１  ＳＳ送受信ユニット（受信手段，送信手段）
６５  ＴＶマイコン（制御手段）
６７  第２のセレクタ
７１  ＴＶ部（表示手段）
７３  ＥＥＰＲＯＭ（記憶手段）
７５  リモコン受光部
８１  ＭＰＥＧ２デコーダ（デコード手段）
８３  Ｄ／Ａ変換部
８５  第２のＳＳ−ＣＰＵ
８７ｂ  バッテリ
８７ａ  バッテリチャージャマイコン
７７  ＳＳ無線送受信エンジン
１４０  切換要求取得部（切換要求取得手段）
１４１  切換完了応答部（切換関連データ送信制御手段）
１４２  タイムスタンプ取得部（タイムスタンプ送信制御手段）
１５０  映像ミュート部（映像乱れ隠蔽手段）
１５１  切換コマンド作成部（切換コマンド送信制御手段）
【図１】
0003720347.tif 000002
【図２】
0003720347.tif 000003
【図３】
0003720347.tif 000004
【図４】
0003720347.tif 000005
【図５】
0003720347.tif 000006
【図６】
0003720347.tif 000007
【図７】
0003720347.tif 000008
【図８】
0003720347.tif 000009
【図９】
0003720347.tif 000010
【図１０】
0003720347.tif 000011